(57)【要約】      （修正有）【課題】避難のための時間を長くする地震警報器を提供する。【解決手段】地震警報器はケーシング１０と、Ｐ波検知装置２０と、Ｓ波検知装置３０とを含む。ケーシングは、電源と、制御装置１５と、警音装置１６とを有する。制御装置は電源に、警音装置は制御装置に、電気的に接続されている。Ｐ波検知装置は縦方向移動部材２１と、接触タブ２２とを有する。縦方向移動部材は、ケーシングに固定的に接続された第１端部と、長手方向に沿ってケーシングに対して移動する第２端部とを有する。接触タブは、縦方向移動部材の第２端部から間隔を置き、第２端部と選択的に接触し、制御装置と電気的に接続されている。Ｓ波検知装置は、ケーシングに吊り下げられた振り子３１と、接触リング３２とを有する。接触リングは、振り子の周囲に取り付けられ、制御装置に電気的に接続されている。【選択図】図２
0003172666.tif 000002
【実用新案登録請求の範囲】
【請求項１】
ケーシング（１０）と、
該ケーシングに取り付けられたＰ波検知器（２０）と、
前記ケーシングに取り付けられたＳ波検知器（３０）とを含んだ地震警報器であって、
前記ケーシングは、その中に内部空間（１３）を有し、電源（１４）が設けられ、ケーシング内に設けられ、前記電源に電気的に接続された制御装置（１５）と、ケーシング内に設けられ、前記制御装置に電気的に接続された警音装置（１６）とを有し、
前記Ｐ波検知器は、前記ケーシング内に設けられて該ケーシングに固定的に接続された第１端部と、前記ケーシングに対して縦方向に移動可能な第２端部とを有する縦方向移動部材（２１）と、前記ケーシングに設けられ、前記縦方向移動部材の前記第２端部と選択的に接触し、前記制御装置に電気的に接続された接触タブ２２）とを含み、
前記Ｓ波検知器は、前記ケーシング内に吊り下げられた振り子と、該振り子の周囲に取り付けられ、前記制御装置に電気的に接続された接触リング（３２）とを含む、地震警報器。
【請求項２】
時刻表示面と、
該時刻表示面に形成された取り付けセグメントである、前記ケーシングが取り付けられた取り付け部分と、前記時刻表示面に取り付けられ、前記制御装置に電気的に接続された照明装置とを有する時計組立部を含む、請求項１に記載の地震警報器。
【請求項３】
前記照明装置は、時刻表示面の３時、６時、及び１２時をそれぞれ示す場所に取り付けられた複数の警報光（４１）と、該警報光間に取り付けられた複数の照明光とを含む、請求項２に記載の地震警報器。
【請求項４】
前記ケーシングは、水準器（５０）を取り付けられている、請求項１または３に記載の地震警報器。
【請求項５】
前記ケーシングは、相互に結合された基部（１１）とカバー（１２）とを含み、前記電源（１４）と、制御装置（１５）と、Ｐ波検知器（２０）と、Ｓ波検知器（３０）とは、  前記基部に取り付けられ、前記警音装置は前記カバーに取り付けられている、請求項４に記載の地震警報器。
【請求項６】
前記基部は、受け入れ空間を内部に有するバッフル（１７）と、該バッフルの受け入れ空間の近傍に取り付けられた蓋（１８）とを有し、
前記Ｐ波検知装置の縦方向移動部材（２１）は前記受け入れ空間に取り付けられ、該受け入れ空間に設けられたバネ（２４）と、前記受け入れ空間に設けられ前記バネの第２端部に接続された分銅（２５）とを含み、
前記接触タブは前記バッフルの内壁に取り付けられ、前記空間に取り付けられ、ボス（２３）を形成し、前記接触タブから突出し、前記分銅と選択的に接触する、請求項５に記載の地震警報器。
【請求項７】
前記振り子（３１）は、第１端部を前記基部に吊り下げられ、第２端部に外ねじ山を備えた鈎棒（３３）と、該鈎棒の外ねじ山と螺合した限定要素（３４）と、
接続端部を前記鈎棒の第２端部に接続され、前記限定要素に隣接し、該限定要素に対向する自由端とを有する接触ヘッド（３５）とを有し、前記接続端の直径は前記自由端の直径より小さい、請求項６に記載の地震警報器。
【請求項８】
前記ケーシングは、相互に結合された基部とカバーとを含み、
前記電源、制御装置、Ｐ波検知装置及びＳ波検知装置は、該基部に取り付けられ、
前記警音装置は、前記カバーに取り付けられている、請求項１に記載の地震警報器。
【考案の詳細な説明】
【技術分野】
【０００１】
本考案は地震警報器、特に、地震の実体波を検知する地震警報器に関する。
【背景技術】
【０００２】
地震は、台湾のような環太平洋地震帯上に位置する国々において、いつでも発生する。地震による被害を軽減するため、地震警報器は、地震発生の間人々に警報を与える。
【０００３】
また、地震波は、地震の最中に発生し、実体波と表面波とを含む。実体波は、Ｐ波（縦波）と、伝播速度がＰ波よりも遅いが表面波よりも速いＳ波（第二波）とを含む。従来の地震警報器は、前記地震波を検知して警報信号を送ることができる。
【考案の概要】
【考案が解決しようとする課題】
【０００４】
しかし、従来の地震警報器は、Ｓ波を検知するのみであるところ、表面波がＳ波のすぐ後に発生する。したがって、警報信号と表面波との間の時間は避難するには短すぎる。
【課題を解決するための手段】
【０００５】
本考案の主な目的は、避難のための時間を長くする地震警報器を提供することにある。
【０００６】
前記地震警報器は、ケーシングと、Ｐ波検知器と、Ｓ波検知器とを備える。前記ケーシングは、内部空間と、電源と、制御装置と、警音装置とを有する。前記電源は、ケーシング内に設けられている。前記制御装置は、前記ケーシングに取り付けられ、前記電源に電気的に接続されている。前記警音装置は、前記ケーシングに取り付けられ、前記制御装置に電気的に接続されている。前記Ｐ波検知器は、前記ケーシングに設けられ、縦方向移動部材と接触タブとを有する。前記縦方向移動部材は、前記ケーシングに取り設けられ、該ケーシングに固定的に接続された第１端部と、該ケーシングに対して長手方向に移動可能な第２端部とを有する。前記接触タブは、前記ケーシングに設けられ、前記縦方向移動部材の第２端部から間隔を置かれ、選択的に該第２端部と接触し、前記制御装置に電気的に接続されている。前記Ｓ波検知器は、前記ケーシングに設けられ、該ケーシング内に吊り下げられた振り子と、接触リングとを有する。前記接触リングは、前記振り子の周囲に取り付けられ、前記制御装置と電気的に接続されている。
【図面の簡単な説明】
【０００７】
【図１】本考案に係る時計組立部を備えた地震警報器の斜視図。
【図２】図１における地震警報器の分解斜視図。
【図３】カバーを取り外し、Ｐ波検知器の操作を示した、図１に示した地震警報器の拡大された操作正面図。
【図４】カバーを取り外し、Ｓ波検知器の操作を示した、図１に示した地震警報器の拡大された操作正面図。
【図５】カバーを取り外し、調整されるＳ波検知器を示した、図１に示した地震警報器の拡大された操作正面図。
【考案を実施するための形態】
【０００８】
図１、２を参照するに、本考案に係る地震警報器は、ケーシング１０と、Ｐ波検知器２０と、Ｓ波検知器３０と、時計組立部４０とを含む。
【０００９】
ケーシング１０は、その中に形成された内部空間１３を有し、電源１４と、制御装置１５と、警音装置１６とを含む。電源１４は、ケーシング１０内に取り付けられ、バッテリー組立部とすることもできる。制御装置１５は、ケーシング内に設けられ、電源１４に電気的に接続されている。警音装置１６は、ケーシング１０に設けられ、制御装置１５に電気的に接続されている。好ましくは、ケーシング１０は、相互に結合された基部１１とカバー１２とを含む。電源１４と、制御装置１５と、Ｐ波検知機２０と、Ｓ波検知器３０とは、基部１１に取り付けられている。警音装置１６は、カバー１２に取り付けられている。さらに、基部１１は、受け入れ空間を内部に形成したバッフル１７と、受け入れ空間を閉じるべくバッフル１７に取り付けられた蓋１８とを有する。
【００１０】
Ｐ波検知器２０は、ケーシング１０内に取り付けられ、好ましくはバッフル１７の受け入れ空間に取り付けられ、縦方向移動部材２１と、接触タブ２２とを含む。縦方向移動部材２１は、ケーシング１０内に設けられ、ケーシング１０に固定的に接続された第１端部と、ケーシング１０に対して長手方向に移動可能な第２端部とを備える。好ましくは、縦方向移動部材２１は、前記受け入れ空間に設けられ、バネ２４及び分銅２５を含む。バネ２４は、前記受け入れ空間に設けられ、基部１１に固定的に接続された第１端部と、第２端部とを有する。分銅２５は、前記受け入れ空間に設けられ、バネ２４の第２端部に接続されている。接触タブ２２はケーシング１０に設けられ、縦方向移動部材２１の第２端部から間隔を置かれ、選択的に該第２端部に接触し、制御装置１５と電気的に接続される。好ましくは、接触タブ２２は、バッフル１７の内壁に取り付けられ、前記受け入れ空間に設けられ、接触タブ２２に形成されたボス２３であって、接触タブから突出して分銅２５と選択的に接触するボス２３を有する。
【００１１】
Ｓ波検知器３０は、ケーシング１０内に設けられ、好ましくは基部１１に取り付けられた、振り子３１と、接触リング３２とを含む。振り子３１は、ケーシング１０に吊り下げられ、鈎棒３３と、限定要素３４と、接触ヘッド３５とを含む。鈎棒３３は、基部１１に吊り下げられ、基部１１に掛けられる第１端部と、外部ねじ山を備えた第２端部とを有する。限定要素３４は、ナットでもよく、鈎棒３３の外部ねじ山にねじ込まれている。接触ヘッド３５は、鈎棒３３の第２端部に接続され、接続端と自由端とを有する。この接続端は、鈎棒３３の第２端部に接続され、限定要素３４に隣接する。前記自由端は、限定要素３４に対向している。前記接続端は、前記自由端の直径より小さい直径を有する。接触リング３２は、振り子３１の周囲に取り付けられ、制御装置１５と電気的に接続されている。
【００１２】
時計組立部４０は、時刻表示面と、取り付け用セグメントと、照明装置とを有する。時刻表示面は、１時から１２時までのそれぞれに相当する複数の位置を有する。取り付け用セグメントは、前記時刻表示面に形成され、ケーシング１０は、前記取り付け用セグメントに取り付けられている。前記照明装置は、前記時刻表示面に取り付けられ、制御装置１５に電気的に接続されている。好ましくは、前記照明装置は、時刻表示面のそれぞれ３時、６時、９時及び１２時を示す位置に取り付けられた複数の警報ライト４１と、該警報ライト４１間に取り付けられた複数の照明光４２とを含む。
【００１３】
水準器５０は、ケーシング１０に取り付けられ、好ましくは、バブル・タイプの水準器である。
【００１４】
図３を参照するに、地震が発生すると、地震によるＰ波が、地震警報器が取り付けられた位置に最も速く伝送される。そのため、分銅２５がＰ波によって上下に動く。Ｐ波の力の増大により、分銅２５がボス２３に当接すると、接触タブは制御装置１５に信号を送る。次に、制御装置１５は、人々に二重の警報効果を与えるために、警音装置１６を制御して音を出させ、警報光４１を点灯させる。このとき、照明光４２も、人々に照明効果を与えるべく点灯される。
【００１５】
図４を参照するに、Ｐ波の後でＳ波が到達すると、振り子３１がＳ波によって揺動し、Ｓ波力の増大につれて接触リング３２に当接する。振り子３１と接触リング３２との接触により、接触リング３２は制御装置１５に信号を送り、警音装置１６と前記照明装置とが作動されて音と光を発する。実際には、Ｐ波用の警音装置１６と警報光４１とは、Ｓ波用のものとは異なってもよい。警報光４１は、完全に点灯されるか、異なる警報効果を与えるためにフラッシュされてもよい。また、照明光４２は、警報光４１と相俟って補助的な警報効果を与えることができる。
【００１６】
図５を参照するに、接触ヘッド３５が鈎棒３３に対して上方に移動し、接触ヘッド３５のより大きい直径部分が、接触リング３２に合致するように移動される。その結果、接触リング３２と接触する振り子３１の揺動距離が減少し、Ｓ波検知のためのＳ波検知器３０の感度を向上させることができる。反対に、接触ヘッド３５が鈎棒３３に対して下方に移動すると、接触リング３２に接触する振り子３１の揺動距離は増大する。そのため、振り子３１はより大きいＳ波で接触リング３２に接触する。
【００１７】
さらに、Ｓ波検知器３０は、Ｓ波が斜めになっているか否か水準器５０によって判定する。水準器５０の配置により、地震警報器の配置角度も決まる。
【００１８】
したがって、本考案に係る地震警報器は、Ｐ波及びＳ波を検知して、避難のための充分な時間を与えるべく、人々に素早く警報効果を提供する能力を有する。Ｓ波検知器３０がＳ波を検知すると、地震の発生を確認するために付加的な警報が提供される。
【００１９】
さらに、時計組立部４０は、時刻を知らせる効果のみならず、地震警報が待機状態であることを保証する効果をも提供することができる。時計組立部４０が作動を停止することは、地震警報器の電力が使い果たされたことを意味する。したがって、地震警報器が正常に操作されるように、電源１４は直ちに交換されるか再充電される。さらに、水準器５０は、地震警報器の正確さを向上させるために、地震警報器が傾かないように維持することができる。
【符号の説明】
【００２０】
１０  ケーシング
１１            基部
１２            カバー
１３            内部空間
１４            電源
２０            Ｐ波検知装置
３０            Ｓ波検知装置
４０            時計組立部
【図１】
0003172666.tif 000003
【図２】
0003172666.tif 000004
【図３】
0003172666.tif 000005
【図４】
0003172666.tif 000006
【図５】
0003172666.tif 000007